(57)【要約】【課題】湿気や異物の混入を確実に防ぐことができ、外袋を２枚以上重ねたものであっても内袋と外袋を容易にかつ完全に分離して処分することができ、しかも低コストである多重袋を提供する。【解決手段】少なくとも合成樹脂製の内袋２と、該内袋の外側に２枚以上重ねた紙製の外袋３とを有する多重袋であって、前記内袋が底部において溶着され、かつ開口部において最内側の外袋３ａと接着されており、前記各外袋が少なくとも底部と開口部において互いに接着されており、かつ前記内袋と外袋は底部において一回だけ折り返されており、最外側の外袋には前記折り返された部分を覆う封緘用の紙６が接着されて前記折り返しが保たれているものであることを特徴とする多重袋１。【選択図】    図２
2004175444.tif 000002
【特許請求の範囲】
【請求項１】
少なくとも合成樹脂製の内袋と、該内袋の外側に２枚以上重ねた紙製の外袋とを有する多重袋であって、前記内袋が底部において溶着され、かつ開口部において最内側の外袋と接着されており、前記各外袋が少なくとも底部と開口部において互いに接着されており、かつ前記内袋と外袋は底部において一回だけ折り返されており、最外側の外袋には前記折り返された部分を覆う封緘用の紙が接着されて前記折り返しが保たれているものであることを特徴とする多重袋。
【請求項２】
前記外袋がクラフト紙からなり、前記内袋がポリエチレンからなることを特徴とする請求項１に記載の多重袋。
【請求項３】
少なくとも、前記内袋の開口部における外袋との接着、前記各外袋の底部における接着、及び前記各外袋の開口部における接着のいずれかが、点状に施されていることを特徴とする請求項１又は請求項２に記載の多重袋。
【請求項４】
前記内袋は、面荒れ処理が施されていないものであることを特徴とする請求項１ないし請求項３のいずれか１項に記載の多重袋。
【発明の詳細な説明】
【０００１】
【発明の属する技術分野】
本発明は、合成樹脂製の内袋と紙製の外袋とから構成される多重袋に関する。
【０００２】
【従来の技術】
従来、粉末状の飼料等を入れて保管や輸送するための袋として、ポリエチレン等からなる合成樹脂製の袋（内袋）の外側にクラフト紙等の紙製の袋（外袋）を重ねた多重袋（多層袋）が知られている。このような多重袋は、外側が紙であるので積み重ねても滑り難く、また、内容物は密閉性のあるポリエチレン等の内袋の中に直接入れられるので、湿気を嫌う粉末飼料の保管や輸送に好適に使用することができる。
また、多重袋では、外袋の枚数を増やすことで強度を高めることができるので、例えば２０ｋｇ以上にもなるような高重量の内容物を充填した場合でも、これらを積み重ねて輸送等を安全に行うことができる。
【０００３】
従来、このような多重袋では、底部において２回以上折り曲げて内袋と外袋とを止めたものが知られている。具体的には、２枚あるいは３枚以上に重ねたクラフト紙を筒状にし、その中に内袋となるポリエチレン製のチューブを入れて底部となる箇所をクラフト紙の上から溶着させ、さらに底部を２回（２重）あるいはそれ以上に折り曲げて止めている。
【０００４】
しかし、このように内袋と外袋とが一緒に２回以上折り返されて止められたものは、内袋が巻き込まれた状態となっているので、使用後に処分する際、内袋を外に引っ張っても外袋から分離することができない。従って、廃棄処分やリサイクルが容易でないという問題がある。
【０００５】
一方、内袋と外袋の底部をミシンで一緒に縫った多重袋が提案されている。このような多重袋であれば、処分する際に内袋を引っ張ってミシン目から切り離すことができる。
しかしながら、この場合には底部において内袋のミシン目より下の部分が残留してしまい、内袋と外袋を完全に分離することができない。また、内袋にミシン目を施すとなると、微小とはいえ多数の孔があくことになるので、ミシン目を通じて湿気や異物が混入するおそれがあるほか、内袋の強度低下の問題も生じ得る。
【０００６】
さらに、内袋と外袋とを完全に分離することができるようにした多重袋として、内袋と外袋とを底部で折り曲げ、折り曲げた部分を開封テープ付きの当て紙で包囲したものが提案されている（特許文献１参照）。この多重袋では、処分する際に開封テープを引いて当て紙を破ることで折り曲げを解除することができ、これにより内袋と外袋とを分離することができるとされている。
【０００７】
しかし、上記の多重袋では内袋と外袋が１枚ずつ重なったものだけが示されており、高重量の内容物を入れるものとして外袋を２重以上とした場合については示されていない。
また、開封テープ付きの当て紙を用いて底部を封鎖したのでは、開封テープ自体のコストが高い上に、運搬中に袋同士が当たったときに開封されてしまうおそれがある。さらに、この多重袋の場合、処分する際には底部の開封テープを引いて当て紙を破る必要上、開封テープが付けられている部分は外袋と接着せずに浮いていなければならない。従って、特に折り曲げ部に当て紙を貼る際には注意を要し、そのため製造コストが上がるなどの問題もある。
【０００８】
【特許文献１】
特開平５−２４６４４１号公報（００１３段落、図１）
【０００９】
【発明が解決しようとする課題】
そこで、上記問題を解決するべく本発明では、湿気や異物の混入を確実に防ぐことができ、外袋を２枚以上重ねたものであっても内袋と外袋を容易にかつ完全に分離して処分することができ、しかも低コストである多重袋を提供することを目的とする。
【００１０】
【課題を解決するための手段】
上記目的を達成するため、本発明によれば、少なくとも合成樹脂製の内袋と、該内袋の外側に２枚以上重ねた紙製の外袋とを有する多重袋であって、前記内袋が底部において溶着され、かつ開口部において最内側の外袋と接着されており、前記各外袋が少なくとも底部と開口部において互いに接着されており、かつ前記内袋と外袋は底部において一回だけ折り返されており、最外側の外袋には前記折り返された部分を覆う封緘用の紙が接着されて前記折り返しが保たれているものであることを特徴とする多重袋が提供される。
【００１１】
このような多重袋であれば、内袋と外袋は底部においては接着せずに一回だけ折り返されているだけであり、一方、各外袋同士は底部において互いに接着されているので、使用後に処分する際、封緘用の紙を破ることなく内袋を開口部から外に引っ張るだけで、最内側の外袋が一緒に引出されるようなことなく内袋だけが引き抜かれて、内袋と外袋とを容易にかつ完全に分離することができる。また、内袋にはミシン目等が施されていないので防湿性や密閉性に優れ、内袋内の内容物に湿気や異物が混入するのを確実に防ぐことができる。
【００１２】
この場合、前記外袋がクラフト紙からなり、前記内袋がポリエチレンからなることが好ましい。
クラフト紙であれば、強度、成形性等に優れるため飼料等を入れる多重袋の外袋として好適であり、内袋と分離した後、焼却処分あるいはリサイクルするにも好適である。また、クラフト紙は安価であるためコスト的にも有利である。
一方、内袋をポリエチレン製とすれば、強度が高く、安価である上に、防湿性や密閉性に優れるため、内袋として好適である。
【００１３】
また、少なくとも、前記内袋の開口部における外袋との接着、前記各外袋の底部における接着、及び前記各外袋の開口部における接着のいずれかが、点状に施されていることが好ましい。
このように内袋、外袋の各接着部分を点状に接着しても十分な接着強度を保つことができ、接着剤の量も少なくて済み経済的でもある。また、例えば内袋の開口部における外袋との接着が点状に施したものとすれば、処分する際に内袋を外袋から一層容易に剥がして分離することができる。
【００１４】
さらに、前記内袋は面荒れ処理が施されていないものであることが好ましい。内袋として面荒れ処理したものを用いると、多重袋を製造する際にヒートシールを行ったときに外袋と溶着し、処分する際に完全分離することが困難となるおそれがある。従って、内袋は面荒れ処理がされていないものを用いるのが好ましい。
【００１５】
【発明の実施の形態】
以下、図面を参照しながら本発明の実施の形態について具体的に説明する。なお、好適な態様として、内袋としてポリエチレン製のものを、外袋としてクラフト紙製のものをそれぞれ使用し、いわゆる片Ｓ式の多重袋としたものについて説明する。
図１は本発明に係る多重袋の一例の概略を示している。また、図２は底部の拡大概略断面図であり、図３及び図４はそれぞれ開口部の拡大概略図及び拡大概略断面図である。
【００１６】
この多重袋１は、ポリエチレン製の内袋２と、内袋２の外側にクラフト紙を３枚重ねた外袋３ａ，３ｂ，３ｃとを有している。
内袋２は図２に示されるように底部４において溶着されており、開口部５においては、図３及び図４に示されているように点状に施された接着層８を介して最内側の外袋３ａと接着されている。
【００１７】
一方、外袋３は、図２及び図４に示されているように、各外袋（クラフト紙）同士３ａ，３ｂ，３ｃが底部４と開口部５において接着層９により互いに接着されている。なお、各外袋３ａ，３ｂ，３ｃの底部４と開口部５における接着に関しても、内袋２と外袋３ａとの接着と同様、点状に施したものとしてしても良い。
【００１８】
そして、この多重袋１は、図２に見られるように内袋２と外袋３とが底部４において一回だけ折り返されており、最外側の外袋３ｃの両側には折り返された部分を覆う封緘用の紙６が接着層１０を介して接着されている。
【００１９】
このような多重袋１は、既存の設備を使用して製造することができるという利点があり、安価に製造することができる。以下、製造手順を示しながらさらに詳しく説明する。
まず、外袋３を構成するクラフト紙３ａ，３ｂ，３ｃを３枚重ね合わせ、糊代７に接着剤を塗布して筒状にする。この糊代７の円周上の位置は原則としてどこでも良いが、各外袋３ａ，３ｂ，３ｃでずらして配置するのが強度上好ましい。さらにこのとき、底部４と開口部５となる所定の箇所に接着剤を、例えば点状に塗布して３枚のクラフト紙３ａ，３ｂ，３ｃを互いに接着（点糊付け）する。これにより３枚のクラフト紙３ａ，３ｂ，３ｃが底部４と開口部５において接着層９を介して一体化される。
【００２０】
次いで、筒状の各クラフト紙３ａ，３ｂ，３ｃの内側に内袋２を構成するポリエチレン製のチューブを入れ、製造する多重袋１の大きさを考慮して定寸カットする。
さらに、底部４となる部分で、最外側のクラフト紙３ｃの上からチューブを溶着（ヒートシール）して内袋２を形成する。なお、従来、ポリエチレン製の内袋（チューブ）として、印刷性、接着性等を向上させる目的で外面をコロナ放電により面荒れ処理したものが用いられる場合がある。このように面荒れ処理を施したチューブを用いてクラフト紙の上からヒートシールを行うと、チューブの内面が溶着するだけでなく、チューブの外面が最内側のクラフト紙３ａに溶着してしまうことがある。このように内袋と外袋とが溶着してしまうと、使用後、処分する際に完全分離することが困難となるので、面荒れ処理がされていないポリエチレン製のチューブを用いると良い。
【００２１】
また、開口部５では、内袋２を最内側の外袋３ａと接着させる。このとき、内袋２または外袋３ａに接着剤を点状に塗布して図３のように接着すれば、十分な接着強度が保たれるとともに、処分する際に内袋２と外袋３ａとの分離が容易となるという利点がある。また、開口部５において、各外袋３ａ，３ｂ，３ｃ、及び内袋２と外袋３とが一体化されるので内袋２内に内容物を充填させる際に開口部５の開閉が容易となり、作業性、取り扱い性に優れたものとなる。
【００２２】
次に、内袋２と外袋３を底部４において一回だけ折り返す。このとき、図２に示されているように、各外袋３ａ，３ｂ，３ｃ同士の接着箇所と、内袋２の溶着箇所よりも中心側で折り返すようにする。
折り返し後、最外側の外袋３ｃに折り返された部分を覆う封緘用の紙６を接着させる。このとき、図２に示されるように、封緘用の紙６が内袋２と外袋３の折り返された部分を跨ぐとともに最外側の外袋３ｃの表裏両面を覆うように接着層１０を介して接着されて、内袋２と外袋３との折り返しが保たれるようにする。なお、封緘用の紙６としては、例えば外袋３と同様のクラフト紙を使用することができるが、折り返された部分を覆って折り返しを保てるものであれば特に限定されるものではなく、市販の紙テープなども使用することができる。
このように製造された多重袋１は、封緘用の紙６により折り返しが保たれることで内袋２と外袋３とが底部４において係止された状態となり、底部が形成される。こうして使用前の多重袋１が完成する。
【００２３】
そして、この多重袋１を使用する方法は、使用者により任意であるが、例えば、内袋２内に飼料等の内容物を充填後、開口部５をヒートシール等により封することにより内容物は内袋２内に密閉された状態に保たれる。そして、開口部５の端部を、外袋３と内袋２を折り返してオーバーテープ等で接着すれば良い。本発明の多重袋１は、内袋２の底部４にミシン目等が施されてないので、湿気や異物が混入するのを確実に防ぐことができるし、強度も十分である。
【００２４】
そして、多重袋１が使用済みとなって処分する際には、内袋２を開口部５で接着されている最内側の外袋３ａから引き剥がすとともに、外袋３の中から引っ張り出す。このとき、底部４においては内袋２と最内側の外袋３ａは接着しておらず、一方、各外袋３ａ，３ｂ，３ｃ同士は接着されているので、封緘用の紙６を破らなくても、外袋３ａが一緒に引き出されることなく内袋２だけを引っ張り出して内袋２と外袋３とを完全に分離することができる。
【００２５】
このようにポリエチレン製の内袋２と、クラフト紙製の外袋３とを簡単かつ完全に分離できる構造となっているので、内袋２と外袋３は使用後の分別処理が極めて容易であり、それぞれ再資源化（リサイクル）も可能である。しかも、上記のように本発明では従来の装置で、従来の材料を用いて製造可能であり、開封テープ等、特別な材料等を用いる必要がないので、非常に安価に構成できる。
【００２６】
本発明は、上記実施形態に限定されるものではない。上記実施形態は単なる例示であり、本発明の特許請求の範囲に記載された技術的思想と実質的に同一な構成を有し、同様な作用効果を奏するものは、いかなるものであっても本発明の技術的範囲に包含される。
【００２７】
例えば、上記実施形態では、内袋及び外袋は上記のものに限定されず、例えば内袋の材質に関しては、ポリエチレン製以外の熱可塑性合成樹脂製のものを好適に使用することができるし、外袋の枚数に関しては２重あるいは４重以上としても良い。また、多重袋内に入れる内容物に関しても当然のことながら限定されるものではない。
【００２８】
【発明の効果】
以上のように、本発明の多重袋は、合成樹脂製の内袋と２枚以上に重ねた外袋とが底部において接着せずに一回だけ折り返されており、各外袋同士は互いに接着されている。このような構造としたことで、例えば２０ｋｇ以上の高重量のものを入れて保管や輸送を行う場合でも安全に輸送等を行うことができ、ミシン目等が施されてないので防湿性や密閉性に優れ、湿気や異物の混入を確実に防ぐことができる。そして、使用後に処分する際には、開口部において内袋を外袋から引き剥がすとともに外側に引き抜くことで内袋と外袋とを容易にかつ完全に分離することができるので、リサイクルや廃棄処分が容易となる。
【図面の簡単な説明】
【図１】本発明に係る多重袋の一例を示す概略斜視図である。
【図２】底部の拡大概略断面図である。
【図３】開口部の拡大概略図である。
【図４】開口部の拡大概略断面図である。
【符号の説明】
１…多重袋、  ２…内袋、  ３，３ａ，３ｂ，３ｃ…外袋（クラフト紙）、
４…底部、  ５…開口部、  ６…封緘用の紙、  ７…糊代、
８，９，１０…接着層。
【図１】
2004175444.tif 000003
【図２】
2004175444.tif 000004
【図３】
2004175444.tif 000005
【図４】
2004175444.tif 000006